(57)【特許請求の範囲】
【請求項１】
路盤の上面に敷設された防水層と、
前記防水層の上面に配置された仕切り部材と、
前記防水層の上側に積層され、保水性を有する支持層と、
前記支持層の上面に敷設され、保水性を有する保水性ブロックと、を備え、
前記仕切り部材によって、前記支持層内に複数の貯水領域が区画されており、
前記防水層は、前記路盤の表面に並設した複数の防水シートからなり、
前記仕切り部材が隣り合う前記防水シートの継ぎ目に配置されており、
前記継ぎ目に塗着された接着材によって、前記仕切り部材が前記防水シートに固着されていることを特徴する保水性舗装体。
【請求項２】
路盤の上面に敷設された防水層と、
前記防水層の上面に配置された仕切り部材と、
前記防水層の上側に積層され、保水性を有する支持層と、
前記支持層の上面に敷設され、保水性を有する保水性ブロックと、を備え、
前記仕切り部材によって、前記支持層内に複数の貯水領域が区画されており、
前記防水層は、前記路盤の表面に並設した複数の防水シートからなり、
前記仕切り部材は、横板と前記横板の上面に立ち上げられた縦板とを備えており、
前記防水シートの側縁部は、前記横板の上面に重ね合わされていることを特徴とする保水性舗装体。
【請求項３】
前記仕切り部材には、隣り合う前記貯水領域を連通させる連通孔が形成されていることを特徴とする請求項１または請求項２に記載の保水性舗装体。
【請求項４】
路盤の上面に配置された仕切り部材と、
前記仕切り部材に被せた状態で、前記路盤の上面に敷設された防水シートと、
前記防水シートの上側に積層され、保水性を有する支持層と、
前記支持層の上面に敷設され、保水性を有する保水性ブロックと、を備え、
前記仕切り部材によって、前記支持層内に複数の貯水領域が区画されていることを特徴とする保水性舗装体。
【発明の詳細な説明】
【技術分野】
【０００１】
本発明は、道路などの舗装に用いられる保水性舗装体に関する。
【背景技術】
【０００２】
近年、都市部の気温が周辺部に比較して高くなる所謂「ヒートアイランド現象」が問題になっている。その原因の一つとして、アスファルト舗装の蓄熱作用が挙げられている。そこで、舗装の蓄熱（温度上昇）を抑制するために、舗装の表面を湿潤にして、水分蒸発に伴う気化熱によって、表面温度を低下させる保水性舗装体の開発が行われている。
【０００３】
保水性舗装体としては、路盤の表側に積層され、保水性を有する支持層と、支持層の表面に敷設された保水性ブロックと、を備え、支持層と保水性ブロックとの間に給水パイプが埋設されているものがある（例えば、特許文献１参照）。この構成では、給水パイプに設けられた穴を通じて保水性ブロックに水を供給することで、保水性ブロックを湿潤させている。
【先行技術文献】
【特許文献】
【０００４】
【特許文献１】特開２００８−２９７８３６号公報
【発明の概要】
【発明が解決しようとする課題】
【０００５】
前記した従来の保水性舗装体では、給水パイプの穴が砂や塵によって目詰まりした場合には、保水性ブロックを取り外して給水パイプを交換する必要があるため、メンテナンスが煩雑になるという問題がある。
また、給水パイプから供給された水が支持層内で広がり難いため、保水性ブロックの湿潤に斑が生じるという問題がある。特に、従来の保水性舗装体を、大規模な公園や遊園地のように、広い面積に適用した場合には、動水勾配に応じて支持層下部に水が沈み込むため、支持層上部が湿り難くなり、保水性ブロックの湿潤に斑が生じ易くなる。
【０００６】
本発明は、前記した問題を解決し、広い面積でも保水性ブロック全体を均一に湿潤させることができるとともに、メンテナンスを簡略化することができる保水性舗装体を提供することを課題とする。
【課題を解決するための手段】
【０００７】
前記課題を解決するため、本発明は、保水性舗装体であって、路盤の上面に敷設された防水層と、前記防水層の上面に配置された仕切り部材と、前記防水層の上側に積層され、保水性を有する支持層と、前記支持層の上面に敷設され、保水性を有する保水性ブロックと、を備え、前記仕切り部材によって、前記支持層内に複数の貯水領域が区画されていることを特徴としている。
【０００８】
この構成では、給水手段や降雨によって支持層に供給された水は、支持層内の各貯水領域に分散して貯水されることになる。そして、保水性ブロックは各貯水領域から水を吸い上げるため、広い面積でも保水性ブロック全体を均一に湿潤させることができる。
また、支持層内に給水パイプなどの給水手段を埋設する必要がないため、保水性舗装体のメンテナンスを簡略化することができる。
【０００９】
前記した保水性舗装体において、前記防水層が前記路盤の表面に並設した複数の防水シートからなり、前記仕切り部材を隣り合う前記防水シートの継ぎ目に配置し、前記継ぎ目に塗着された接着材によって、前記仕切り部材を前記防水シートに固着した場合には、防水シートの幅ごとに仕切り部材が配置されるため、支持層内を等間隔に区画することができる。これにより、支持層全体に均一に貯水することができる。
また、仕切り部材を防水シートの継ぎ目に固着させることで、支持層内を等間隔に区画するとともに、防水シートの継ぎ目を塞ぐことができるため、作業効率を向上させることができる。
【００１０】
前記した保水性舗装体において、前記防水層が前記路盤の表面に並設した複数の防水シートからなり、前記仕切り部材が、横板と前記横板の上面に立ち上げられた縦板とを備えている場合には、前記防水シートの側縁部を前記横板の上面に重ね合わせてもよい。
この構成では、防水シートの幅ごとに仕切り部材が配置されるため、支持層内を等間隔に区画することができる。これにより、支持層全体に均一に貯水することができる。
また、隣り合う防水シートの間を仕切り部材によって塞ぐことができるとともに、防水シートを仕切り部材に取り付け易いため、作業効率を向上させることができる。
【００１１】
なお、前記した保水性舗装体において、支持層の表面に複数の保水性ブロックを並べた場合には、隣り合う保水性ブロックの間に形成された目地部に、仕切り部材の上端部を挿入してもよい。
この構成では、貯水領域が保水性ブロックの下部を含むように形成されるため、貯水領域の上部まで貯水することで、保水性ブロックが常に水に浸されているようにすることができる。
【００１２】
前記した保水性舗装体において、前記仕切り部材に、隣り合う前記貯水領域を連通させる連通孔を形成した場合には、隣り合う貯水領域の間で連通孔を通じて水を流通させることができる。これにより、貯水領域内に長期間に亘って水が滞留するのを防ぐことができ、貯水領域内で水が腐敗するのを防ぐことができる。
なお、連通孔の開口面積および数は、貯水領域に給水される給水速度よりも、貯水領域から連通孔を通じて排水される排水速度が遅くなるように設定されている。
【００１３】
また、本発明の他の構成としては、保水性舗装体であって、路盤の上面に配置された仕切り部材と、前記仕切り部材に被せた状態で、前記路盤の上面に敷設された防水シートと、前記防水シートの上側に積層され、保水性を有する支持層と、前記支持層の上面に敷設され、保水性を有する保水性ブロックと、を備え、前記仕切り部材によって、前記支持層内に複数の貯水領域が区画されているものがある。
【００１４】
この構成では、給水手段や降雨によって支持層に供給された水は、支持層内の各貯水領域に分散して貯水されることになる。そして、保水性ブロックは各貯水領域から水を吸い上げるため、広い面積でも保水性ブロック全体を均一に湿潤させることができる。
また、支持層内に給水パイプなどの給水手段を埋設する必要がないため、保水性舗装体のメンテナンスを簡略化することができる。
さらに、路盤の上面に仕切り部材を配置した後に、防水シートを仕切り部材に被せながら、防水シートを路盤の上面に敷設することができるため、作業効率を向上させることができる。
【発明の効果】
【００１５】
本発明の保水性舗装体では、支持層内に分散して貯水されるため、広い面積でも保水性ブロック全体を均一に湿潤させることができ、舗装表面の温度を効果的に低下させることができる。
また、保水性舗装体のメンテナンスを簡略化することができ、メンテナンスの費用を低減することができる。
【図面の簡単な説明】
【００１６】
【図１】第一実施形態の保水性舗装体を示した側断面図である。
【図２】第一実施形態の防水シートおよび仕切り部材を示した斜視図である。
【図３】第一実施形態の変形例を示した図で、仕切り部材が保水性ブロックの下面に当接している構成の側断面図である。
【図４】第一実施形態の変形例を示した図で、仕切り部材の上端部が目地部に挿入されている構成の側断面図である。
【図５】第一実施形態の変形例を示した図で、連通孔が形成された仕切り部材の斜視図である。
【図６】第一実施形態の変形例を示した図で、仕切り部材によって形成された枠の斜視図である。
【図７】（ａ）は第二実施形態の保水性舗装体を示した側断面図、（ｂ）は第三実施形態の保水性舗装体を示した側断面図である。
【発明を実施するための形態】
【００１７】
本発明の実施形態について、適宜図面を参照しながら詳細に説明する。
なお、各実施形態の説明において、同一の構成要素に関しては同一の符号を付し、重複した説明は省略するものとする。
【００１８】
［第一実施形態］
第一実施形態の保水性舗装体１は、図１に示すように、歩道や車道となる舗装体層２と、舗装体層２の側縁部に沿って延設された縁石３と、を備えている。
なお、保水性舗装体１の適用対象は、歩道や車道のみならず、例えば、遊歩道、広場、駐車場、建物周辺、屋上などであってもよい。
【００１９】
舗装体層２は、路盤１０の上面１０ａに敷設された防水シート２０と、防水シート２０の上面２０ａに配置された仕切り部材３１，３２と、防水シート２０の上側に積層された支持層４０と、支持層４０の上面４０ａに敷設された保水性ブロック５０と、を備えている。
【００２０】
路盤１０は、舗装体層２からの荷重を分散させて路床（図示せず）に伝える役割を果たす層である。路盤１０の上面１０ａには、縁石３側（図１の右側）から他の縁側（図１の左側）に向かうに従って下がるように勾配が形成されている。
【００２１】
防水シート２０は、舗装体層２から路盤１０に水が流出するのを防ぐ防水層を構成している。路盤１０の上面１０ａには、複数の防水シート２０が敷き詰められている。隣り合う防水シート２０の側縁部２０ｂは互いに重なり合っている。なお、隣り合う防水シート２０の側縁部２０ｂを接着または溶着してもよい。
【００２２】
仕切り部材３１，３２のうち、第一の仕切り部材３１は、隣り合う防水シート２０の継ぎ目に配置され、第二の仕切り部材３２は、防水シート２０と縁石３との境界部に配置されている。
【００２３】
第一の仕切り部材３１は、直線状（帯板状）に延ばされた横板３１ａと、横板３１ａの上面の幅方向の中間位置に垂直に立設された縦板３１ｂとを備えており、軸断面が逆Ｔ字形状に形成されている。
横板３１ａは、隣り合う防水シート２０の継ぎ目を塞ぐように、防水シート２０の側縁部２０ｂに沿って配置されている。横板３１ａの下面は、継ぎ目に塗着された接着材３３によって、防水シート２０の上面２０ａに固着されている。
【００２４】
第二の仕切り部材３２は、直線状（帯板状）に延ばされた横板３２ａと、横板３２ａの上面の側縁部に垂直に立ち上げられた縦板３２ｂとを備えており、軸断面がＬ字形状に形成されている。
横板３２ａは、防水シート２０と縁石３の側面との境界部を塞ぐように、縁石３の側面に沿って配置されており、横板３２ａの下面は、境界部に塗着された接着材３３によって防水シート２０の上面２０ａに固着されている。
【００２５】
支持層４０は、図１に示すように、保水性ブロック５０を支持する層であり、支持層４０に供給された水が全体に浸透するように、保水性素材によって構成されている。本実施形態では、保水性素材として所定粒径の砂（細骨材）を使用している。
【００２６】
支持層４０は、各仕切り部材３１，３２の縦板３１ｂ，３２ｂよりも高く積層されている。すなわち、支持層４０の層厚は、各仕切り部材３１，３２の高さ寸法よりも大きくなっており、各仕切り部材３１，３２の全部が支持層４０に埋設されている。本実施形態では、各縦板３１ｂ，３２ｂの上縁部が支持層４０の約半分の高さに配置されている。
支持層４０内には、各仕切り部材３１，３２および防水シート２０によって複数の貯水領域４１が区画されている。支持層４０に供給された水は各貯水領域４１に貯水される。
【００２７】
保水性ブロック５０は、自動車や歩行者などの踏み圧を受ける部材であり、支持層４０の上面４０ａに敷設されている。本実施形態の保水性ブロック５０は、長方体形状を呈する平板ブロックによって構成されている。
支持層４０の上面４０ａには、複数の保水性ブロック５０が並べられており、隣り合う保水性ブロック５０の間には、目地部５５が形成されている。目地部５５の下端部は、支持層４０に連通している。
目地部５５内には、保水性ブロック５０が動かないように保水性素材が充填されている。この保水性素材は、支持層４０を構成する保水性素材と同じものでも良いし、異なる保水性素材でも良く、所定粒径の砂（細骨材）を使用している。
【００２８】
保水性ブロック５０は、複数の骨材５１同士の間に形成された連続空隙５２に水を溜めるように構成されており、連続空隙５２の割合によって保水量を調整することができる。
骨材５１は、所望の強度を発揮できるように、材質、粒径、粗粒率、開粒度などが選択されている。骨材５１は、開粒度アスファルト混合物の他に、例えば、天然石、レンガ、高炉スラグなどの各種廃材によって構成される。
なお、連続空隙５２に保水性を有するグラウト材を充填してもよい。保水性を有するグラウト材としては、例えば、セメントと水とからなる通常のグラウト材に、保水性を有する鉱物や樹脂を含有させたものがある。
【００２９】
縁石３は、舗装体層２の側縁部に沿って延設されている。縁石３は、路盤１０に支持されており、例えば、コンクリートによって構成されている。
縁石３の舗装体層２側の反対側には、道路の延長方向に沿って給水管３ａが延設されている。給水管３ａには、縁石３内を貫通して縁石３の舗装体層２側の側面に開口した複数の分岐管３ｂが道路の延長方向に並べられている。各分岐管３ｂの開口部は、支持層４０よりも高い位置で目地部５５に接している。
【００３０】
次に、本実施形態の保水性舗装体１の作用について説明する。
図１に示す保水性舗装体１では、図示しない給水装置から給水管３ａに水が供給されると、分岐管３ｂを通じて保水性ブロック５０および支持層４０に水が供給される。
なお、舗装表面２ａに散水することで保水性ブロック５０および支持層４０に水を供給してもよい。また、降雨による雨水も保水性ブロック５０および支持層４０に供給されることになる。
【００３１】
支持層４０に浸透した水は、まず、図１において最も右側に配置された貯水領域４１に貯水される。路盤１０の上面１０ａには、縁石３側から他の縁側に向かうに従って下がるように勾配が形成されているため、各仕切り部材３１，３２の上端部まで水が溜まると、水が第一の仕切り部材３１を越えて、隣の貯水領域４１に流入する。このようにして、順次に隣り合う貯水領域４１に貯水され、支持層４０全体の各貯水領域４１に貯水される。
【００３２】
夏季晴天日の日中などに舗装表面２ａの温度が上昇すると、保水性ブロック５０に保水された水分が蒸発し、この水分蒸発に伴う気化熱によって、舗装表面２ａの温度が低下する。
また、保水性ブロック５０内の水が蒸発すると、保水性ブロック５０は毛細管現象によって支持層４０から水を吸い上げる。このようにして、各貯水領域４１から各保水性ブロック５０に水が供給され、各保水性ブロック５０が湿潤される。
【００３３】
以上のような保水性舗装体１では、支持層４０に供給された水は、支持層４０内の各貯水領域４１に分散して貯水される。また、各仕切り部材３１，３２は、防水シート２０の継ぎ目に配置されており、支持層４０を等間隔に区画することで、各貯水領域４１が形成されているため、支持層４０全体に均一に貯水することができる。
そして、各保水性ブロック５０は、各貯水領域４１から水を吸い上げるため、公園や遊園地等の広い面積に適用した場合でも各保水性ブロック５０を均一に湿潤させることができ、舗装表面２ａの温度を効果的に低下させることができる。
【００３４】
また、支持層４０内に給水パイプなどの給水手段を埋設する必要がないため、保水性舗装体１のメンテナンスを簡略化することができ、メンテナンスの費用を低減することができる。
【００３５】
また、第一の仕切り部材３１を防水シート２０の継ぎ目に配置することで、支持層４０内を等間隔に区画するとともに、防水シート２０の継ぎ目を塞ぐことができるため、作業効率を向上させることができる。
【００３６】
また、各仕切り部材３１，３２の高さが支持層４０の高さの約半分であり、各仕切り部材３１，３２と保水性ブロック５０とが干渉しないため、支持層４０の上面４０ａに保水性ブロック５０を設置し易くなっている。
【００３７】
以上、本発明の実施形態について説明したが、本発明は前記実施形態に限定されることなく、その趣旨を逸脱しない範囲で適宜に変更が可能である。
例えば、図３に示すように、各仕切り部材３１，３２の縦板３１ｂ，３２ｂの上端部を、保水性ブロック５０の下面に当接させた場合には、各貯水領域４１の貯水量が大きくなる。また、一方の貯水領域４１から他方の貯水領域４１に水が流入するときに、保水性ブロック５０内を水が通過するため、保水性ブロック５０を確実に湿潤させることができる。
【００３８】
さらに、図４に示すように、目地部５５に各仕切り部材３１，３２の縦板３１ｂ，３２ｂの上端部を挿入した場合には、貯水領域４１が保水性ブロック５０の下部を含むように形成されるため、貯水領域４１の貯水量を大きくするとともに、保水性ブロック５０が常に水に浸されているようにすることができる。
【００３９】
また、図５に示すように、第一の仕切り部材３１の縦板３１ｂの下部に、隣り合う貯水領域４１を連通させる複数の連通孔３１ｃを形成してもよい。この構成では、隣り合う貯水領域４１の間で連通孔３１ｃを通じて水を流通させることができる。したがって、貯水領域４１内に長期間に亘って水が滞留するのを防ぐことができ、貯水領域４１内で水が腐敗するのを防ぐことができる。
連通孔３１ｃの開口面積および数は、貯水領域４１に給水される給水速度よりも、貯水領域４１から連通孔３１ｃを通じて排水される排水速度が極端に遅くなるように設定されている。
【００４０】
また、各仕切り部材３１，３２の配置や形状は限定されるものではなく、図６に示すように、各仕切り部材３１，３２を交差させることで、複数の枠を形成し、この枠内に貯水領域を形成してもよい。なお、枠の大きさおよび形状は限定されるものではない。また、各仕切り部材３１，３２を湾曲させてもよい。
【００４１】
また、本実施形態では、図１に示すように、路盤１０の上面１０ａに敷設された防水シート２０によって防水層を構成しているが、防水層の構成は限定されるものではなく、防水効果を有する材料を路盤１０の上面１０ａに敷き詰めてもよい。
【００４２】
［第二実施形態］
次に、第二実施形態の保水性舗装体について説明する。
第二実施形態の保水性舗装体１Ａは、図７（ａ）に示すように、各仕切り部材３１，３２に防水シート２０を接合する構成が、前記した第一実施形態の保水性舗装体１（図１参照）と異なっている。
【００４３】
第二実施形態の保水性舗装体１Ａでは、防水シート２０の側縁部２０ｂを各仕切り部材３１，３２の横板３１ａ，３２ａの上面に重ね合わせ、横板３１ａ，３２ａの上面に塗着された接着材によって、防水シート２０の側縁部２０ｂを仕切り部材３１，３２に固着させている。
この構成では、隣り合う防水シート２０の間を第一の仕切り部材３１によって塞ぐことができるとともに、防水シート２０を各仕切り部材３１，３２に取り付け易いため、作業効率を向上させることができる。
【００４４】
［第三実施形態］
次に、第三実施形態の保水性舗装体について説明する。
第三実施形態の保水性舗装体１Ｂは、図７（ｂ）に示すように、第一の仕切り部材３１および防水シート２０の配置が、前記した第一実施形態の保水性舗装体１（図１参照）と異なっている。
【００４５】
第三実施形態の保水性舗装体１Ｂは、第一の仕切り部材３１が路盤１０の上面１０ａに配置されるとともに、防水シート２０が路盤１０の上面に敷設されており、第一の仕切り部材３１に防水シート２０が被せられている。防水シート２０は、第一の仕切り部材３１に被せられた部位が縦板３１ｂによって盛り上がった状態となる。これにより、第一の仕切り部材３１によって、支持層４０内に複数の貯水領域４１が区画される。
このような保水性舗装体１Ｂでは、路盤１０の上面１０ａに第一の仕切り部材３１を配置した後に、防水シート２０を第一の仕切り部材３１に被せて、防水シート２０を路盤１０の上面１０ａに敷設することができるため、作業効率を向上させることができる。
【符号の説明】
【００４６】
１      保水性舗装体（第一実施形態）
１Ａ    保水性舗装体（第二実施形態）
１Ｂ    保水性舗装体（第三実施形態）
２      舗装体層
２ａ    舗装表面
３      縁石
３ａ    給水管
３ｂ    分岐管
１０    路盤
２０    防水シート
３１    第一の仕切り部材
３１ａ  横板
３１ｂ  縦板
３１ｃ  連通孔
３２    第二の仕切り部材
３２ａ  横板
３２ｂ  縦板
３３    接着材
４０    支持層
４１    貯水領域
５０    保水性ブロック
５１    骨材
５５    目地部
【図１】
0006029426.tif 000002
【図２】
0006029426.tif 000003
【図３】
0006029426.tif 000004
【図４】
0006029426.tif 000005
【図５】
0006029426.tif 000006
【図６】
0006029426.tif 000007
【図７】
0006029426.tif 000008